【手続補正書】
【提出日】平成27年4月28日(2015.4.28)
【手続補正１】
【補正対象書類名】明細書
【補正対象項目名】００５４
【補正方法】変更
【補正の内容】
【００５４】
一方、出力バンドエンド信号が有効値でない場合（＝０）、制御部４０２は、ｓｔａｌｌ信号（信号線４０７）を内部ｓｔａｌｌ信号（信号線４０４）としてバッファ４０１に伝達する。そして、内部ｖａｌｉｄ信号（信号線４０３）をｖａｌｉｄ信号（信号線４０６）として出力部１０３に送出する。
【手続補正２】
【補正対象書類名】明細書
【補正対象項目名】００９２
【補正方法】変更
【補正の内容】
【００９２】
まず、入力同期信号検出部１２０３の動作について説明する。入力同期信号検出部１２０３は、前段から処理部２０１に入力されるデータパケット（７１４）について、データパケットに格納されている部分画像データに入力着目画素が含まれていると、入力同期信号１２０７を有効“１”にして出力制御部１２０４に送出する。
【手続補正３】
【補正対象書類名】明細書
【補正対象項目名】００９３
【補正方法】変更
【補正の内容】
【００９３】
一方で、入力同期信号検出部１２０３は、前段から処理部２０１に入力されるデータパケットについて、データパケットに格納されている部分画像データに入力着目画素が含まれていない場合には、入力同期信号１２０７を無効“０”にして送出する。前段のブロックにおいて出力着目画素に入力同期信号１２０７に対応する情報（前段における出力同期信号に対応する同期用フラグ）を付加しておけばよく、データパケットに入力着目画素が含まれていることを効率的に検出できる。次に、出力制御部１２０４の動作について説明する。
【手続補正４】
【補正対象書類名】特許請求の範囲
【補正対象項目名】全文
【補正方法】変更
【補正の内容】
【特許請求の範囲】
【請求項１】
部分画像データに含まれている画素データを逐次的に入力する入力手段と、
前記入力手段から入力される画素データを処理して処理済画素データを出力する処理手段と、
前記入力手段が前記部分画像データに含まれる入力着目画素データを前記処理手段に入力することに応じて、前記処理済画素データのうち後段のブロックと同期をとるための出力着目画素データを出力する出力制御手段と
を有することを特徴とする画像処理装置。
【請求項２】
前記部分画像データは、処理対象画像を帯状に分割したバンド画像であり、
前記入力着目画素データは、前記入力手段が入力するバンド画像に含まれる画素データのうち最後に前記入力手段に入力される画素データであり、
前記出力着目画素データは、前記処理手段が前記バンド画像に関して出力する処理済画素データのうち最後に出力する画素データである
ことを特徴とする請求項１に記載の画像処理装置。
【請求項３】
前記入力着目画素データは、前記入力手段が入力する部分画像データに含まれる画素データのうち最後に前記入力手段に入力される画素データであり、
前記出力着目画素データは、前記処理手段が前記部分画像データに関して出力する処理済画素データのうち最後に出力する画素データである
ことを特徴とする請求項１に記載の画像処理装置。
【請求項４】
前記入力着目画素データは、前記入力手段が入力する部分画像データに含まれる画素データのうち特定領域または画素を識別するための画素データであり、
前記出力着目画素データは、前記処理手段が前記部分画像データに関して出力する処理済画素データのうち特定領域または画素を識別するための画素データである
ことを特徴とする請求項１に記載の画像処理装置。
【請求項５】
前記処理手段は、入力画素数と出力画素数が異なる画像処理を実施することを特徴とする請求項１乃至４のいずれか１項に記載の画像処理装置。
【請求項６】
前記出力制御手段は、前記出力着目画素データを出力する際に、該出力着目画素データを出力したことを示す同期信号を出力することを特徴とする請求項１乃至５のいずれか１項に記載の画像処理装置。
【請求項７】
前記同期信号は、サイドバンド信号で伝送されることを特徴とする請求項６に記載の画像処理装置。
【請求項８】
前記入力手段は、部分画像データに含まれている複数の画素データを格納するデータパケットを逐次的に入力し、前記入力着目画素データを含むデータパケットが前記入力手段によって入力されることに応じて、前記出力制御手段が前記処理手段の処理済画素データのうち後段のブロックと同期をとるための出力着目画素データを含むデータパケットを出力することを特徴とする請求項１乃至７のいずれか１項に記載の画像処理装置。
【請求項９】
前記出力制御手段は、前記出力着目画素データを含めることを示すフラグを、前記出力着目画素データを有するデータパケットに格納して出力することを特徴とする請求項８に記載の画像処理装置。
【請求項１０】
前記出力制御手段は、前記処理手段の処理した処理済画素データを保持する保持手段を備え、
前記保持手段に前記出力着目画素データが保持されるまでは前記後段のブロックと２線式ハンドシェークを実施し、前記出力着目画素データが前記保持手段に保持されると前記後段のブロックへのｖａｌｉｄ信号を無効にすることを特徴とする請求項１乃至７のいずれか１項に記載の画像処理装置。
【請求項１１】
前記処理手段はトリミング処理を実施することを特徴とする請求項１乃至１０のいずれか１項に記載の画像処理装置。
【請求項１２】
前記処理手段はフィルタ処理を実施することを特徴とする請求項１乃至１１のいずれか１項に記載の画像処理装置。
【請求項１３】
前記処理手段は変倍処理を実施することを特徴とする請求項１乃至１２のいずれか１項に記載の画像処理装置。
【請求項１４】
前記出力制御手段からの前記出力着目画素データを受信して出力する、前記後段のブロックとしての出力手段と、
前記出力手段が前記出力着目画素データを受信したことに応じて、前記入力手段に次の部分画像データに含まれる画素データを入力させるように制御するプロセッサと
を更に有することを特徴とする請求項１乃至１３のいずれか１項に記載の画像処理装置。
【請求項１５】
部分画像データに含まれている画素データを順次入力する入力手段と、
前記入力手段から入力される画素データを処理して処理済画素データを出力する処理手段と、
前記部分画像データにおいて前記入力手段に最後に入力される画素データである入力着目画素データが前記処理手段に入力されたこと検出する第１検出手段と、
前記部分画像データにおいて前記処理手段が最後に処理する画素データである出力着目画素データを前記処理手段が出力したことを検出する第２検出手段と、
前記処理手段が前記出力着目画素データを出力したことを前記第２検出手段が検出した場合、前記入力着目画素データが前記処理手段に入力されたことを前記第１検出手段が検出するまで、前記処理手段から出力された出力着目画素データを保持し、前記入力着目画素データが前記処理手段に入力されたことを前記第１検出手段が検出した場合に、該保持されている出力着目画素データを出力する出力制御手段と
を備えることを特徴とする画像処理装置。
【請求項１６】
処理対象の画像を規定の単位領域ごとに読み出し、該読み出した単位領域内のそれぞれの画素を順次、入力する入力手段と、
着目単位領域から前記入力手段が入力した１以上の画素の画素値を用いて該着目単位領域内の画像に対して画像処理を行うことで該画像中の各画素の画素値を確定させ、該確定した画素値を順次、規定の出力先に出力する画像処理手段と
を備え、
前記画像処理手段は、
入力された画素値を処理して処理済みの画素値を確定する処理手段と、
前記処理手段が確定した画素値が、前記着目単位領域について出力する着目画素の画素値であるか否かを判断する判断手段と、
前記判断手段により前記処理手段が確定した画素値が前記着目単位領域について出力する着目画素の画素値であると判断されると、前記入力手段によって前記着目単位領域内の全ての画素が入力されるまでその出力を待機させ、前記入力手段によって前記全ての画素が入力されると、待機させた画素値の出力を許可する制御手段と
を備えることを特徴とする画像処理装置。
【請求項１７】
前記規定の出力先は、前記画像処理手段から出力された画素値を外部に出力すると、前記着目単位領域の次の単位領域に対する読み出し指示を前記入力手段に対して行うことを特徴とする請求項１６に記載の画像処理装置。
【請求項１８】
部分画像データに含まれている画素データを逐次的に入力する入力手段と、前記入力手段から入力される画素データを処理して処理済画素データを出力する処理手段と、を備える画像処理装置の制御方法であって、
前記入力手段が前記部分画像データに含まれる入力着目画素データを前記処理手段に入力することに応じて、前記処理済画素データのうち後段のブロックと同期をとるための出力着目画素データを出力することを特徴とする画像処理装置の制御方法。
【請求項１９】
部分画像データに含まれている画素データを順次入力する入力手段と、
前記入力手段から入力される画素データを処理して処理済画素データを出力する処理手段と
を有する画像処理装置が行う画像処理方法であって、
前記画像処理装置の第１検出手段が、前記部分画像データにおいて前記入力手段に最後に入力される画素データである入力着目画素データが前記処理手段に入力されたこと検出する第１検出工程と、
前記画像処理装置の第２検出手段が、前記部分画像データにおいて前記処理手段が最後に処理する画素データである出力着目画素データを前記処理手段が出力したことを検出する第２検出工程と、
前記画像処理装置の出力制御手段が、前記処理手段が前記出力着目画素データを出力したことを前記第２検出工程で検出した場合、前記入力着目画素データが前記処理手段に入力されたことを前記第１検出工程で検出するまで、前記処理手段から出力された出力着目画素データを保持し、前記入力着目画素データが前記処理手段に入力されたことを前記第１検出工程で検出した場合に、該保持されている出力着目画素データを出力する出力制御工程と
を備えることを特徴とする画像処理方法。
【請求項２０】
画像処理装置が行う画像処理方法であって、
前記画像処理装置の入力手段が、処理対象の画像を規定の単位領域ごとに読み出し、該読み出した単位領域内のそれぞれの画素を順次、入力する入力工程と、
前記画像処理装置の画像処理手段が、着目単位領域から前記入力工程で入力した１以上の画素の画素値を用いて該着目単位領域内の画像に対して画像処理を行うことで該画像中の各画素の画素値を確定させ、該確定した画素値を順次、規定の出力先に出力する画像処理工程と
を備え、
前記画像処理工程は、
入力された画素値を処理して処理済みの画素値を確定する処理工程と、
前記処理工程で確定した画素値が、前記着目単位領域について出力する着目画素の画素値であるか否かを判断する判断工程と、
前記判断工程において前記処理工程で確定した画素値が前記着目単位領域について出力する着目画素の画素値であると判断されると、前記入力工程で前記着目単位領域内の全ての画素が入力されるまでその出力を待機させ、前記入力工程で前記全ての画素が入力されると、待機させた画素値の出力を許可する制御工程と
を備えることを特徴とする画像処理方法。